(57)【要約】【課題】ハードディスク等の記録媒体に記録された多数の音楽データのうちから所望の音楽データを短時間で探し出すことができる「オーディオ再生装置及び音楽選曲方法」を提供する。【解決手段】ロータリーエンコーダが低速で回転されたときは低速検索モードに設定し、検索位置の音楽データの曲名を表示部に表示する。ロータリーエンコーダが高速で回転されると、高速検索モードに移行して、検索位置の音楽データ及びそれに連続する音楽データに共通の情報、例えばそれらの音楽データが収納されたフォルダのフォルダ名や、アルバム名、アーティスト名及び記録日等を表示部に表示する。【選択図】図６
2005353227.tif 000002
【特許請求の範囲】
【請求項１】
複数の音楽データが記録された記録媒体と、
前記記録媒体から音楽データを読み出すデータ読出部と、
前記データ読出部で読み出した音楽データを信号処理してオーディオ信号に変換する信号処理部と、
操作子を備えた操作部と、
表示部と、
前記操作部から入力される信号に応じて前記データ読出部、前記信号処理部及び前記表示部を制御する主制御部とを有し、
前記主制御部は、前記操作子に対し行われた操作に応じて前記操作部から出力される信号に基づき表示モードを低速検索モード及び高速検索モードのいずれかに設定し、低速検索モードに設定したときは前記記録媒体に記録された音楽データを順番に検索して検索位置の音楽データの曲名を前記表示部に表示し、
高速検索モードに設定したときは前記記録媒体に記録された音楽データを順番に検索して検索位置の音楽データ及びそれに連続する音楽データに共通の情報を前記表示部に表示することを特徴とするオーディオ再生装置。
【請求項２】
前記操作子としてロータリーエンコーダを備え、前記ロータリーエンコーダが一定の角速度以上で回転したときに前記操作部から出力される信号に基づいて、前記主制御部は前記表示モードを高速検索モードに設定することを特徴とする請求項１に記載のオーディオ再生装置。
【請求項３】
前記操作子が所定の操作ボタンであり、前記操作ボタンが長押しされたときに前記操作部から出力される信号に基づいて、前記主制御部は前記表示モードを高速検索モードに設定することを特徴とする請求項１に記載のオーディオ再生装置。
【請求項４】
前記記録媒体がハードディスクであることを特徴とする請求項１に記載のオーディオ再生装置。
【請求項５】
複数の音楽データが記録された記録媒体と、前記記録媒体から音楽データを読み出すデータ読出部と、前記データ読出部で読み出した音楽データを信号処理してオーディオ信号に変換する信号処理部と、操作子を備えた操作部と、表示部と、前記操作部から入力される信号に応じて前記データ読出部、前記信号処理部及び前記表示部を制御する主制御部とを有するオーディオ再生装置の音楽選曲方法において、
前記主制御部は、前記操作子に対し行われた操作に応じて前記操作部から出力される信号に基づき表示モードを低速検索モード及び高速モードのいずれかに設定し、
低速検索モードに設定したときは前記記録媒体に記録された音楽データを順番に検索して検索位置の音楽データの曲名を前記表示部に表示し、
高速検索モードに設定したときは前記記録媒体に記録された音楽データを順番に検索して検索位置の音楽データ及びそれに連続する音楽データに共通の情報を前記表示部に表示することを特徴とする音楽選曲方法。
【請求項６】
前記低速検索モードから前記高速検索モードに移行するときの条件と、前記高速検索モードから前記低速検索モードに移行するときの条件とが個別に設定されていることを特徴とする請求項５に記載の音楽選曲方法。
【請求項７】
前記連続する音楽データに共通する情報が、前記連続する音楽データが収納されたフォルダのフォルダ名であることを特徴とする請求項５に記載の音楽選曲方法。
【請求項８】
前記連続する音楽データに共通する情報が、前記連続する音楽データにそれぞれ付加された付加情報から抽出した情報であることを特徴とする請求項５に記載の音楽選曲方法。
【請求項９】
前記連続する音楽データに共通する情報が、曲名、アルバム名、アーティスト名及び記録日のうちのいずれか１又は複数の情報であることを特徴とする請求項５に記載の音楽選曲方法。
【請求項１０】
前記主制御部は、前記連続する音楽データに共通する情報として、前記記録媒体の全検索領域に対する前記連続する音楽データが収納されたフォルダの位置を示すグラフを前記表示部に表示することを特徴とする請求項５に記載の音楽選曲方法。
【請求項１１】
前記操作子がロータリーエンコーダであることを特徴とする請求項５に記載の音楽選曲方法。
【請求項１２】
前記操作子が所定の操作ボタンであり、前記主制御部は、前記所定の操作ボタンが長押しされたときに前記操作部から出力される信号に基づいて前記表示モードを高速検索モードに設定することを特徴とする請求項５に記載の音楽選曲方法。
【請求項１３】
前記記録媒体がハードディスクであることを特徴とする請求項５に記載の音楽選曲方法。
【発明の詳細な説明】
【技術分野】
【０００１】
本発明は、ハードディスク及びＣＤ−Ｒ（ＣＤ-Recordable ）等の記録媒体に記録された音楽データを再生するオーディオ再生装置及び音楽選曲方法に関する。
【背景技術】
【０００２】
近年、ハードディスクやＣＤ−Ｒ等の記録媒体に記録された音楽データを再生する車載用オーディオ再生装置が広く普及している。一般的に、ＣＤ−Ｒを記録媒体としたときには１枚のディスクに１００曲分以上の音楽データの記録が可能であり、ハードディスクを記録媒体としたときには数千曲分以上の音楽データの記録が可能である。
【０００３】
通常、ＣＤ−Ｒやハードディスクに記録される音楽データは、ＭＰ３（MPEG Audio Layer-3）及びＷＭＡ（Windows Media Audio ）等のオーディオ信号圧縮方式で圧縮されている。また、これらの音楽データには、通常、曲名、ジャンル、アルバム名及びアーティスト名等の付加情報が付加されている。オーディオ再生装置では、これらの付加情報を使用して、収録曲の曲名、ジャンル、アルバム名及びアーティスト名等の情報を表示部（ディスプレイ）に表示することができる。
【０００４】
ところで、車載用オーディオ再生装置では、ＤＩＮ規格（ドイツ工業規格）によりサイズが規定されているために大型の表示パネルを搭載することが困難であり、表示パネルに表示可能な情報量が制限される。特開２００２−３０４８７３号公報には、アルバム名や曲名の文字数が表示パネルの表示可能文字数よりも多い場合に、アルバム名又は曲名を表示パネルにスクロールさせて表示するオーディオ再生装置（音響再生装置）が記載されている。
【０００５】
図１は、従来の車載用オーディオ再生装置の一例を示す正面図である。この図１に示すように、車載用オーディオ再生装置１０には、曲名及びアーティスト名等が表示される表示部１１と、ロータリーエンコーダ１２と、再生ボタン１３、停止ボタン１４、トラックアップボタン１５及びトラックダウンボタン１６等の操作ボタンとが設けられている。例えばハードディスクに収録された音楽データを再生する場合、電源が投入されると、表示部１１にはハードディスクに記録されている１番目の音楽データの曲名が表示される。その後、ロータリーエンコーダ１２を右方向又は左方向に一定の角度回転する毎に表示部１１に表示される曲名が変更される。所望の曲名が表示部１１に表示された時点でロータリーエンコーダ１２の回転を停止して再生ボタン１３を押すと、音楽データの再生が開始される。
【特許文献１】特開２００２−３０４８７３号公報
【発明の開示】
【発明が解決しようとする課題】
【０００６】
ところで、図１に示す従来のオーディオ再生装置では、ロータリーエンコーダ１２を一定の角度回転させる毎に次の曲名が表示されるので、記録媒体に多数の音楽データが記録されている場合はロータリエンコーダ１２を素早く回転させて、所望の曲を短時間で探し出すことが必要となる。
【０００７】
しかし、ロータリーエンコーダ１２の回転速度を速くすると、１曲当たりの曲名の表示時間が極めて短くなるので、図２に示すように表示部１１に表示される曲名が認識できなくなって、検索がどこまで進んだのかわからなくなってしまう。従って、従来はロータリーエンコーダ１２の回転を時々停止してどの曲まで検索したのかを確認する必要があり、その結果所望の音楽データを探し出すまでに時間がかかってしまう。
【０００８】
以上から、本発明は、記録媒体に記録された多数の音楽データのうちから所望の音楽データを短時間で探し出すことができるオーディオ再生装置及び音楽選曲方法を提供することである。
【課題を解決するための手段】
【０００９】
本発明のオーディオ再生装置は、複数の音楽データが記録された記録媒体と、前記記録媒体から音楽データを読み出すデータ読出部と、前記データ読出部で読み出した音楽データを信号処理してオーディオ信号に変換する信号処理部と、操作子を備えた操作部と、表示部と、前記操作部から入力される信号に応じて前記データ読出部、前記信号処理部及び前記表示部を制御する主制御部とを有し、前記主制御部は、前記操作子に対し行われた操作に応じて前記操作部から出力される信号に基づき表示モードを低速検索モード及び高速検索モードのいずれかに設定し、低速検索モードに設定したときは前記記録媒体に記録された音楽データを順番に検索して検索位置の音楽データの曲名を前記表示部に表示し、高速検索モードに設定したときは前記記録媒体に記録された音楽データを順番に検索して検索位置の音楽データ及びそれに連続する音楽データに共通の情報を前記表示部に表示する。
【００１０】
本発明の音楽選曲方法は、複数の音楽データが記録された記録媒体と、前記記録媒体から音楽データを読み出すデータ読出部と、前記データ読出部で読み出した音楽データを信号処理してオーディオ信号に変換する信号処理部と、操作子を備えた操作部と、表示部と、前記操作部から入力される信号に応じて前記データ読出部、前記信号処理部及び前記表示部を制御する主制御部とを有するオーディオ再生装置の音楽選曲方法において、前記主制御部は、前記操作子に対し行われた操作に応じて前記操作部から出力される信号に基づき表示モードを低速検索モード及び高速モードのいずれかに設定し、低速検索モードに設定したときは前記記録媒体に記録された音楽データを順番に検索して検索位置の音楽データの曲名を前記表示部に表示し、高速検索モードに設定したときは前記記録媒体に記録された音楽データを順番に検索して検索位置の音楽データ及びそれに連続する音楽データに共通の情報を前記表示部に表示する。
【００１１】
本発明においては、操作子に対し行われた操作に応じて操作部から出力される信号に基づき、表示モードを低速検索モード及び高速検索モードのいずれかに設定する。例えば操作子としてロータリーエンコーダを使用した場合、ロータリーエンコーダの回転が低速のときは低速検索モードに設定し、ロータリーエンコーダの回転が高速のときは高速検索モードに設定する。そして、低速検索モードに設定したときは記録媒体に記録された音楽データを順番に検索して検索位置の音楽データの曲名を表示部に表示し、高速検索モードに設定したときは記録媒体に記録された音楽データを順番に検索して検索位置の音楽データ及びそれに連続する音楽データに共通の情報、例えばそれらの音楽データが収録されたフォルダのフォルダ名や、アルバム名及びアーティスト名を表示する。これらの情報は、曲名を表示する場合に比べて表示部に長時間表示されるので容易に認識することができて、どこまで検索が進んだのかを知ることができる。
【発明の実施するための最良の形態】
【００１２】
以下、本発明の実施形態について、添付の図面を参照して説明する。
【００１３】
（第１の実施形態）
図３は本発明の第１の実施形態のオーディオ再生装置の構成を示すブロック図、図４は同じくそのオーディオ再生装置の正面図である。
【００１４】
本実施形態のオーディオ再生装置３０は、主制御部２０と、ハードディスク２１と、駆動制御部（データ読出部）２２と、信号処理部２３と、アンプ２４と、スピーカー２５と、操作部２６と、表示部２７とにより構成されている。
【００１５】
ハードディスク２１には、例えばＭＰ３方式で圧縮された多数の音楽データが記録されている。本実施形態では、各音楽データ毎に付加情報として、曲名、アルバム名、アーティスト名及びジャンル等の情報が付加されているものとする。また、ハードディスク２１には、各音楽データ毎に、ハードディスク２１に記録された日時を示すデータが記憶されている。
【００１６】
駆動制御部２２は、主制御部２０からの信号に応じてハードディスク２１を駆動制御して、音楽データ及び付加情報を読み出す。信号処理部２３は、ハードディスク２１から読み出された音楽データを信号処理してアナログオーディオ信号に変換したり、付加情報を主制御部２０に出力する。アンプ２４は、信号処理部２３から出力されたアナログオーディオ信号を増幅してスピーカー２５を駆動する。
【００１７】
操作部２６には、図４に示すように、ロータリーエンコーダ３２と、再生ボタン３３と、停止ボタン３４と、トラックアップボタン３５と、トラックダウンボタン３６と、その他の操作ボタンとが設けられている。ロータリーエンコーダ３２を右方向又は左方向に回転すると、一定の回転角毎に操作部２６から主制御部２０にパルス信号（以下、クリック信号という）と、回転方向を示す信号とが出力される。また、表示部２７は例えば液晶パネルにより構成されていて、図４に示すように当該オーディオ再生装置３０のフロントパネルに取り付けられている。
【００１８】
図５は、ハードディスク２１に記録されている音楽データの状態を示す模式図である。本実施形態では、この図５に示すように、音楽データ（曲）がフォルダ毎に分類されているものとする。フォルダ名は任意に設定可能であるが、この図５ではフォルダ名として、「２００３年２月ヒット曲」、「２００３年３月ヒット曲」、「２００３年４月ヒット曲」、「アーティスト１」、「アルバム１」及び「アルバム２」を例示している。また、「アーティスト１」のフォルダ内に「アルバム１」及び「アルバム２」のフォルダがあることからわかるように、フォルダ内に１又は複数のフォルダを作成することが可能である。通常、１つのフォルダには数曲〜十数曲分の音楽データ（曲１、曲２、曲３、…）が収録される。
【００１９】
図６は、上述した構成のオーディオ再生装置における音楽選曲方法を示すフローチャートである。
【００２０】
例えばオーディオ再生装置に電源が投入されると、ステップＳ１１に示すように、主制御部２０は表示モードを低速検索モード（曲名表示モード）に設定する。そして、ステップＳ１２に移行し、駆動制御部２２を介してハードディスク２１から１番目の音楽データの付加情報を読み出し、表示部２７に１番目の音楽データの曲名を表示する。
【００２１】
次に、ステップＳ１３に移行し、主制御部２０はロータリーエンコーダ３２が回転したか否か、すなわち操作部２６からクリック信号を入力したか否かを監視する。ロータリーエンコーダ３２が回転して主制御部２０にクリック信号が入力されたときはステップＳ１４に移行し、次の音楽データの付加情報を読み出して表示部２７に曲名を表示する。
【００２２】
なお、ロータリーエンコーダ３２を右方向に回転したときには上述したように次の音楽データの曲名を表示部２７に表示するが、ロータリーエンコーダ３２を左方向に回転したときには前の音楽データの付加情報を読み出してその音楽データの曲名を表示部２７に表示する。
【００２３】
次に、ステップＳ１５に移行し、主制御部２０は再生ボタン３３が押下されたか否かを判定する。再生ボタン３３が押下されたときにはステップＳ２２に移行し、駆動制御部２２を介して表示部２７に表示されている曲名の音楽データをハードディスク２１から読み出し、信号処理部２３に出力する。その後、音楽データは信号処理部２３でアナログオーディオ信号に変換され、アンプ２４を介してスピーカー２５に供給される。これにより、ユーザに音楽が提供される。
【００２４】
一方、ステップＳ１５において再生ボタン３３が押下されていないと判定したときは、ステップＳ１６に移行する。ステップＳ１６において、主制御部２０はロータリエンコーダ３２が高速で回転したか否かを判定する。本実施形態では、５０msec未満の間隔でクリック信号が３回以上連続して入力されたときに、ロータリーエンコーダ３２が高速で回転したものと判定する。この場合、ステップＳ１６からステップＳ１７に移行する。一方、５０msec未満の間隔でクリック信号が３回以上連続して入力されないときはステップＳ１３に戻る。
【００２５】
ステップＳ１７に移行した場合、すなわちロータリーエンコーダ３２が高速で回転していると判定した場合には、主制御部２０は表示モードを高速検索モード（フォルダ名表示モード）に変更する。その後、ステップＳ１８に移行し、主制御部２０はロータリーエンコーダ３２が回転したか否か、すなわち操作部２６からクリック信号を入力したか否かを判定する。そして、クリック信号を入力したと判定したときはステップＳ１９に移行し、クリック信号を入力していないと判定したときにはステップＳ２０に移行する。
【００２６】
ステップＳ１９において、主制御部２０は駆動制御部２２を介してハードディスク２１から次の音楽データの付加情報を読み出し、表示部２７にフォルダ名を表示する。この場合、フォルダ内の音楽データを検索している間は図４に示すように同じフォルダ名が表示部２７に表示されるので、ロータリーエンコーダ３２を高速で回転しても、検索位置を認識することができる。
【００２７】
その後、ステップＳ２０に移行し、主制御部２０はロータリーエンコーダ３２の回転が低速になったか否かを判定する。ここでは、５００msecの間に５０msec未満の間隔で２つのクリック信号を入力したときにはロータリーエンコーダ３２の高速回転が続いているものとし、ステップＳ１８に戻る。そして、クリック信号を入力する毎に次に音楽データの付加情報を読み出し、ステップＳ１９において表示部２７にフォルダ名を表示する。
【００２８】
一方、ステップＳ２０において、５００msecの間に５０msec未満の間隔で２つのクリック信号を入力しないときには、ロータリーエンコーダ３２の回転が低速になったものとして、ステップＳ２１に移行する。
【００２９】
ステップＳ２１では表示モードを低速検索モード（曲名表示モード）に変更し、その後ステップＳ１３に戻って処理を継続する。
【００３０】
本実施形態においては、上述したようにロータリーエンコーダ３２の回転速度が遅いときには表示部２７に曲名を表示し、ロータリーエンコーダ３２の回転速度が速いときには表示部２７にフォルダ名を表示するので、ユーザはロータリーエンコーダ３２を回転しながら曲の検索がどこまで進んだのかを容易に把握することができる。これにより、多数の音楽データの中から所望の音楽データを短時間で探し出すことが可能になり、従来に比べて使い勝手が大幅に向上するという効果を奏する。
【００３１】
なお、上述した第１の実施形態ではロータリーエンコーダ３２を高速で回転したときにフォルダ名を表示するものとしたが、図７に示すように、フォルダ名とともに、そのフォルダ内の何番目の音楽データであるのかを示す数字を表示してもよい。
【００３２】
（第２の実施形態）
上述した第１の実施形態では、ロータリーエンコーダ３２を高速で回転したときに検索位置の音楽データが収録されたフォルダのフォルダ名を表示するものとした。しかし、図８の模式図（ハードディスク２１に記録されている音楽データの状態を示す模式図）に示すように、音楽データ（曲１、曲２、曲３、…）がフォルダ毎に分類されていない場合には適用することができない。そこで、第２の実施形態では、このように音楽データがフォルダ毎に分類されていない場合でも適用できる音楽選曲方法について説明する。
【００３３】
図９は、本発明の第２の実施形態の音楽選曲方法を示すフローチャートである。但し、本実施形態が第１の実施形態と異なる点はロータリーエンコーダ３２が高速で回転されたときの動作が異なることにあり、ロータリーエンコーダ３２が低速で回転されたときの動作は第１の実施形態と同様であるので、重複する部分の説明は省略する。また、本実施形態においても、図３のオーディオ再生装置のブロック図を参照して説明する。更に、本実施形態においては、各音楽データに付加情報として、曲名、アルバム名、アーティスト名及びジャンル等の情報が付加されているものとする。
【００３４】
まず、ステップＳ３１において、ロータリーエンコーダ３２が高速で回転されて高速検索モードに設定されると、ステップＳ３２に移行する。本実施形態においても、第１の実施形態と同様に、５０msec未満の間隔でクリック信号が３以上連続して入力されたときに、ロータリーエンコーダ３２が高速で回転されたものと判定する。
【００３５】
ステップＳ３２において、主制御部２０は駆動制御部２２を介してハードディスク２１から検索位置の音楽データとそれに連続する音楽データの付加情報を読み出し、アルバム名が同じ音楽データが３以上連続するか否かを判定する。そして、アルバム名が同じ音楽データが３以上連続する場合はステップＳ３３に移行し、検索位置がこれらの音楽データのいずれかにあるときには表示部２７にアルバム名を表示する。
【００３６】
一方、ステップＳ３２において、アルバム名が同じ音楽データが３以上続かないときにはステップＳ３４に移行し、アーティスト名が同じ音楽データが３以上連続するか否かを判定する。そして、アーティスト名が同じ音楽データが３以上連続する場合はステップＳ３５に移行し、検索位置がこれらの音楽データのいずれかにあるときに表示部２７にアーティスト名を表示する。
【００３７】
ステップＳ３４において、アーティスト名が同じ音楽データが３以上連続しない場合には、ステップＳ３６に移行して、記録日が同じ音楽データが３以上連続するか否かを判定する。そして、記録日（音楽データが記録された日）が同じ音楽データが３以上連続する場合はステップＳ３７に移行し、検索位置がこれらの音楽データのいずれかにあるときには表示部２７に記録日を表示する。
【００３８】
ステップＳ３６において、記録日が同じ音楽データが３以上連続しない場合には、ステップＳ３８に移行し、表示部２７に曲名を表示する。
【００３９】
本実施形態においては、ロータリーエンコーダ３２の回転速度が速いときに、アルバム名が連続する音楽データについては表示部２７にアルバム名を表示し、アルバム名は連続していないがアーティスト名が連続する音楽データについては表示部２７にアーティスト名を表示する。更に、アルバム名及びアーティスト名は連続していないが記録日が同じ音楽データが連続する場合には表示部２７に記録日を表示する。これにより、音楽データがフォルダ毎に分類されていない場合であっても、所望の音楽データを短時間で探し出すことができる。
【００４０】
なお、上記第２の実施形態では、ロータリーエンコーダ３２の回転速度が速いときの表示部に表示する項目の優先順位を、優先順位の高いものから順に「アルバム名」、「アーティスト名」及び「記録日」としたが、ユーザにより優先順位を設定できるようにしてもよい。例えば、図１０に示すように付加情報が付加された音楽データが記録媒体に収録されている場合、「アルバム名」、「アーティスト名」、「年」及び「ジャンル」の優先度をユーザが任意に設定することができるようにしてもよい。
【００４１】
また、上記第２の実施形態においては音楽データがフォルダ毎に分類されていない場合について説明したが、本発明は音楽データがフォルダ毎に分類されている場合や、フォルダ毎に分類されている音楽データとフォルダ毎に分類されていない音楽データとが混在する場合にも適用可能である。
【００４２】
更に、上記第２の実施形態では、アルバム名、アーティスト名又は記録日が同じ音楽データが連続するか否かの判定に使用するしきい値を３として表示部２７に表示する情報を変更するものとしたが、しきい値の値は３に限定するものでないことは勿論である。
【００４３】
（第３の実施形態）
第１及び第２の実施形態ではいずれも表示部の表示領域が小さいオーディオ再生装置に本発明を適用した例について説明したが、第３の実施形態では表示領域が大きい表示部を備えたオーディオ再生装置に好適な音楽選曲方法について説明する。なお、本実施形態が第１の実施形態と異なる点は、ロータリーエンコーダ３２の回転が低速のとき（低速検索モードのとき）に表示部２７に表示される情報と、ロータリーエンコーダ３２の回転が高速のとき（高速検索モードのとき）に表示部２７に表示される情報とが異なることにあり、その他の構成は基本的に第１の実施形態と同様であるので、重複する部分の説明は省略する。また、本実施形態においても、図３のオーディオ再生装置のブロック図を参照して説明する。
【００４４】
本実施形態においては、ロータリーエンコーダ３２の回転速度が遅いとき（低速検索モードのとき）は、図１１に示すように、表示部２７に曲名、アーティスト名及びアルバム名を表示する。そして、ロータリーエンコーダ３２の回転速度が速いとき（高速検索モードのとき）は、図１２に示すように、表示部２７の画面の上段にハードディスク２１の全検索領域に対する各フォルダの位置を示すグラフを表示し、下段に現在検索中のフォルダ内の全検索領域に対する各音楽データの位置を示すグラフと現在の検索位置を示す矢印とを表示し、更に現在検索中のフォルダ内の音楽データに共通するデータ（この例ではアーティスト名）を表示する。
【００４５】
本実施形態においては、第１及び第２の実施形態に比べて、ロータリーエンコーダ３２の回転速度が速いときに現在どの部分を検索中であるのかがより一層明確にわかるという利点がある。
【００４６】
なお、上記第１〜第３の実施形態ではロータリーエンコーダ３２により音楽データを探し出すものとしたが、本発明はこれに限定されるものではない。例えばトラックアップボタン又はトラックダウンボタンを短押したときには検索位置を１つ後の音楽データ又は１つ前の音楽データの位置に変更し、トラックアップボタン又はトラックダウンボタンを長押したとき（例えば、トラックアップボタン又はトラックダウンボタンを２秒間以上押し続けたとき）に、第１の実施形態でロータリーエンコーダ３２を高速で回転したときと同様の表示モードに移行するようにしてもよい。
【００４７】
また、上記第１〜第３の実施形態では記録媒体がハードディスクの場合について説明したが、本発明においてはハードディスク以外の記録媒体、例えばＣＤ−Ｒ及びＣＤ−ＲＷ等のディスクやＩＣメモリ等を使用してもよいことは勿論である。
【図面の簡単な説明】
【００４８】
【図１】図１は、従来の車載用オーディオ再生装置の一例を示す正面図である。
【図２】図２は、従来のオーディオ再生装置の問題点を示す図であり、ロータリーエンコーダの回転速度を速いときの表示部の表示状態を示している。
【図３】図３は、本発明の第１の実施形態のオーディオ再生装置の構成を示すブロック図である。
【図４】図４は、同じくそのオーディオ再生装置の正面図である。
【図５】図５は、ハードディスクに記録されている音楽データの状態を示す模式図である。
【図６】図６は、第１の実施形態の音楽選曲方法を示すフローチャートである。
【図７】図７は、第１の実施形態の変形例を示す図である。
【図８】図８は、ハードディスクに記録されている音楽データの状態を示す模式図である。
【図９】図９は、本発明の第２の実施形態の音楽選曲方法を示すフローチャートである。
【図１０】図１０は、記録媒体に収録された音楽データとそれらの付加情報とを示す図である。
【図１１】図１１は第３の実施形態において、ロータリーエンコーダの回転速度が遅いときの画面表示例を示す図である。
【図１２】図１２は第３の実施形態において、ロータリーエンコーダの回転速度が速いときの画面表示例を示す図である。
【符号の説明】
【００４９】
１０，３０…オーディオ再生装置、
１１，２７…表示部、
１２，３２…ロータリーエンコーダ、
１３，３３…再生ボタン、
１４，３４…停止ボタン、
１５，３５…トラックアップボタン、
１６，３６…トラックダウンボタン、
２０…主制御部、
２１…ハードディスク、
２２…駆動制御部、
２３…信号処理部、
２４…アンプ、
２５…スピーカー、
２６…操作部。
【図１】
2005353227.tif 000003
【図２】
2005353227.tif 000004
【図３】
2005353227.tif 000005
【図４】
2005353227.tif 000006
【図５】
2005353227.tif 000007
【図６】
2005353227.tif 000008
【図７】
2005353227.tif 000009
【図８】
2005353227.tif 000010
【図９】
2005353227.tif 000011
【図１０】
2005353227.tif 000012
【図１１】
2005353227.tif 000013
【図１２】
2005353227.tif 000014